(57)【特許請求の範囲】
【請求項１】
ブラケット（３０、５０）に回転自在に軸支された回転端（４）を有するスクリーン巻取用の巻取りローラ（２）と、前記巻取りローラに配設されてスクリーン巻き上げの主又は補助動力として用いられる巻きばね（７）とを備えたロールブラインドにおいて、前記回転端に固着されると共に回転軸（１２ａ、４２ａ）を有して前記ブラケットに回転自在に軸支される端末部材（１０、４０）と、前記端末部材を前記ブラケットに選択的に係止させる係止手段とを備え、
前記係止手段は、前記回転軸（４２ａ）の半径方向に第１の位置と第２の位置との間において前記ブラケット（５０）に摺動自在に且つ回転不能に嵌合する係止部材（６０、７０）を備え、前記端末部材は、前記回転軸の軸心に対称且つ平行な２つの平面（４３、４３）を有する係合軸部（４２ｂ）を有し、前記係止部材は、前記係合軸部に半径方向に嵌合して前記端末部材の回転を制止する平行な２つの内面（６３，６３、７３，７３）を有する一方前記第１の位置に移動したとき前記係合軸部に嵌合して前記端末部材を回転不能にすると共に前記第２の位置に移動したとき前記係合軸部との嵌合を解除して前記端末部材を回転可能にすることを特徴とするロールブラインドの回転規制装置。
【請求項２】
前記係合軸部（４２ｂ）は、多角柱状に形成されたことを特徴とする、請求項１に記載のロールブラインドの回転規制装置。
【発明の詳細な説明】
【０００１】
【発明の属する技術分野】
本発明は、ロールブラインドの回転規制装置、特に、巻取りローラをブラケットから取り外さずにスクリーンを巻取りローラから着脱するロールブラインドに使用されて好適な、ロールブラインドの回転規制装置に関する。
【０００２】
【従来の技術】
ロールブラインドのスクリーンは、巻取りローラに内蔵された巻きばねによりその巻き上げ方向に常に付勢されている。従って、スクリーンを手から放てば、この巻きばねのばね力によりスクリーンは直ちに巻取りローラに巻き上げられて、最上部にまで上昇する。ここで、例えば、巻取りローラをブラケットから取り外さずにスクリーンを最下点まで引き下げて、その状態でスクリーンを巻取りローラから外してスクリーンの交換を行なうロールブラインドにおいては、この交換作業時に巻ばねが最大のばね力を発生する。
【０００３】
このため、スクリーンの交換作業時に巻きばねに付勢された巻取りローラを確実に固定することができるロールブラインドの回転規制装置が必要になるが、このようなロールブラインドの回転規制装置としては、例えば、特公平３−２７７１８などに記載されたロールブラインドの回転規制装置がある。例えば、この特公昭６４−１１７９７に記載のロールブラインドの回転規制装置は、ブラケットに回転不能に固定される固定軸の側に配設された爪と、巻取りローラの側に配設された溝とを必要時に強制的に係合させるものであり、巻取りローラを確実に固定することができる。
【０００４】
【発明が解決しようとする課題】
しかしながら、上述した従来の特公昭６４−１１７９７などに記載されたロールブラインドの回転規制装置は、すべて固定軸の側、即ち、巻取りローラの固定端に配設されるものである。しかし、ロールブラインドによっては、この固定端にクラッチ、減速のための遊星歯車機構などを組み込む場合があり、このようなロールブラインドに更に回転規制装置を取り付けると、固定端の構造が極めて複雑なものとなり、設計上大きな問題が生ずることがある。
【０００５】
本発明はこのような問題を解決するためになされたもので、上述した固定端とは反対側の、巻取りローラがブラケットに対して回転自在に取り付けられるロールブラインドの回転端に配設することができ、ロールブラインドの設計上の自由度を大きくすることができるロールブラインドの回転規制装置を提供することを課題とする。
【０００６】
【課題を解決するための手段】
上述の目的を達成するために、本発明のロールブラインドの回転規制装置は、ブラケットに回転自在に軸支された回転端を有するスクリーン巻取用の巻取りローラと、この巻取りローラに配設されてスクリーン巻き上げの主又は補助動力として用いられる巻きばねとを備え、回転端に固着されると共に回転軸を有してブラケットに回転自在に軸支される端末部材と、この端末部材をブラケットに選択的に係止させる係止手段とを備える。
【０００７】
この係止手段は、例えば、軸方向に延長した爪を有すると共に端末部材に軸方向に第１の位置と第２の位置との間において摺動自在に且つ回転不能に内嵌する回り止め部材を備え、上記ブラケットは、この回り止め部材が第１の位置に移動したとき上記爪に嵌合して端末部材を回転不能にする一方、第２の位置に移動したとき上記爪との嵌合を解除して端末部材を回転可能にする係止溝を備える。
【０００８】
上記爪と係止溝は、例えば、回転軸と同軸に円周方向に複数個が同ピッチで夫々配設されている。また、上記爪の先端部のスクリーン引き上げ回転方向側の側面および上記係止溝の先端部のスクリーン引き下げ回転方向側の側面のいずれか一方又は双方に傾斜面を形成し、爪が係止溝に嵌合するとき、回り止め部材をスクリーン引き下げ方向に回転させることもできる。
【０００９】
また、別の係止手段は、例えば、回転軸の半径方向に第１の位置と第２の位置との間においてブラケットに摺動自在に且つ回転不能に嵌合する係止部材を備え、端末部材は、回転軸の軸心に対称且つ平行な２つの平面を有する係合軸部を有する。上記係止部材は、係合軸部に半径方向に嵌合して端末部材の回転を制止する平行な２つの内面を有する一方、第１の位置に移動したとき係合軸部に嵌合して端末部材を回転不能にすると共に第２の位置に移動したとき係合軸部との嵌合を解除して端末部材を回転可能にする。上記係合軸部は、例えば、多角柱状に形成される。
【００１０】
また、ブラケットは、回転軸と同軸に配設されて凹部が外周面に軸方向に形成された円筒状部又は円柱状部を備え、さらに別の係止手段は、環状に形成されて円筒状部又は円柱状部を回転可能に外嵌する係止部材と、凹部と係止部材との間に介装される共に係止部材に係合されて係止部材が回転したとき回転軸の軸方向に第１の位置と第２の位置との間において回転不能に摺動する回り止め部材とを備え、端末部材は、回り止め部材を嵌入させる嵌入孔を有し、回り止め部材は、第１の位置に移動したとき嵌入孔に嵌入して端末部材を回転不能にすると共に第２の位置に移動したとき嵌入孔から離脱して端末部材を回転可能にする。
【００１１】
回り止め部材は、例えば、回転軸に対して螺旋方向に延長する溝を備え、係止部材は、この溝に摺動自在に係合する突起を有して回転することにより突起を溝に摺動させて回り止め部材をブラケットと共働して第１の位置と第２の位置との間に摺動させる。
【００１２】
【発明の実施の形態】
以下に、本発明の実施の形態を図１ないし図５を参照して詳細に説明する。
図１は、本発明に係るロールブラインドの回転規制装置を実施したロールブラインドを示し、符合１はロールブラインドのスクリーン、２はスクリーン巻取用の巻取りローラを示す。巻取りローラ２の図示左側は固定端３であり、図示右側は回転端４である。固定端３には固定軸５が配設され、回転端４にはローラエンド（端末部材）１０が固着される。固定端３の側のブラケット６及び回転端４の側のブラケット３０を天井Ｃに夫々固着する。ローラエンド１０はこのブラケット３０に回転自在に軸支され、固定軸５はブラケット６に固定される。巻きばね７を巻取りローラ２に内蔵する。この巻きばね７は、その一端が上記固定軸５に取り付けられ、他端が巻取りローラ２に取り付けられて、スクリーン巻き上げの主又は補助動力として用いられる。また、上述したローラエンド１０には、後述するロックリング（回り止め部材）２０が予め取り付けられている。ローラエンド１０、ロックリング２０及びブラケット３０はいずれも樹脂製である。
【００１３】
図２（ａ）及び（ｂ）に示すように、ローラエンド１０は円筒状に形成され、このローラエンド１０は上述した巻取りローラ２に内嵌され、巻取りローラ２の回転端４に固着される。小径の回転軸１２ａ及びこの回転軸１２ａと同軸に形成された大径の嵌合軸部１２ｂから成る軸部１２を、ローラエンド１０に突設する。嵌合軸部１２ｂに、軸方向に延長した８個の嵌合溝１３を円周方向に等間隔に配設する。２個の嵌合孔１５、１５を内壁１４に配設する。
【００１４】
図３（ａ）及び（ｂ）に示すように、ロックリング２０は円筒状に形成され、その内周面２１に、軸方向に延長した８個（複数個）の爪２２をローラエンド１０の回転軸１２ａと同軸に円周方向に等間隔に配設する。図３（ａ）に示す爪２２の、図示右側先端部のスクリーン１の引き上げ回転方向側、つまり、図３（ｂ）の図示左側の側面２３に傾斜面２４を夫々形成する。図３（ａ）に示すロックリング２０の図示左側に、上述したローラエンド１０の嵌合孔１５、１５に夫々嵌合する２個の嵌合腕２５、２５を突設する。２個の係止溝２７、２８を嵌合腕２５の外側面２６に、軸方向に距離を置いて配設する。この係止溝２７がロックリング２０の第１の位置を規定し、係止溝２８がロックリング２０の第２の位置を規定する。このロックリング２０を、図５（ａ）及び（ｂ）に示すように、上述したローラエンド１０に内嵌させて取り付ける。詳しくは、図３（ａ）及び（ｂ）に示すロックリング２０の爪２２が、図２に示すローラエンド１０の嵌合溝１３に夫々嵌合する。また、図３（ａ）に示すロックリング２０の嵌合腕２５が弾性変形して、図２（ａ）及び（ｂ）に示すローラエンド１０の嵌合孔１５に夫々に嵌合する。ただし、図５（ａ）及び（ｂ）に示すように、取付け後は、ロックリング２０の２個の係止溝２７、２８がローラエンド１０の嵌合孔１５、１５に夫々係止するので、ロックリング２０は、係止溝２７が規定する第１の位置と係止溝２８が規定する第２の位置との間において、ローラエンド１０に対して摺動自在且つ回転不能である。
【００１５】
図４（ａ）及び（ｂ）に示すように、ブラケット３０の側板３０ａに上述したローラエンド１０の回転軸１２ａを軸支するための軸受け３１を配設する。軸受け３１は円筒状に形成され、その外周面３２には、軸方向に延長した８個（複数個）の係止溝３３が軸受け３１と同軸に、つまりローラエンド１０の回転軸１２ａと同軸に円周方向に等間隔に配設される。係止溝３３のピッチはロックリング２０の爪２２のピッチと同一である。係止溝３３の先端部のスクリーン１の引き下げ回転方向側、つまり、図４（ｂ）の図示左側の側面３４に、傾斜面３５を夫々形成する。図５（ａ）に示すように、まず、ロックリング２０を第２の位置に移動し、次に、ローラエンド１０の回転軸１２ａをブラケット３０の軸受け３１に挿入することにより、巻取りローラ２の回転端４をブラケット３０に軸支する。
【００１６】
次に、本ロールブラインドの回転規制装置の使用方法を、図５を参照して説明する。
図５（ａ）の状態において、ロックリング２０は、係止溝２８がローラエンド１０の嵌合孔１５に係止して、第２の位置にある。このとき、図３（ａ）及び（ｂ）に示すロックリング２０の爪２２は、図４（ｂ）に示すブラケット３０の係止溝３３に嵌合しないので、爪２２は係止溝３３に係止しない。このため、ロックリング２０はブラケット３０に対して回転可能となり、ロックリング２０が回転不能に取り付けられたローラエンド１０及びこのローラエンド１０が固着された巻取りローラ２は、いずれも回転可能である。
【００１７】
次に、図５（ｂ）に示すように、嵌合腕２５の弾性変形を利用にして、係止溝２８と嵌合孔１５との係止を解除し、ロックリング２０をローラエンド１０に対して軸方向に摺動させて、嵌合腕２５の係止溝２７をローラエンド１０の嵌合孔１５に係止する。これにより、ロックリング２０は第１の位置に移動する。このとき、ロックリング２０の爪２２は、ローラエンド１０の嵌合溝１３のみならずブラケット３０の係止溝３３にも嵌合して、爪２２が嵌合溝１３と係止溝３３との双方に係止する。従って、ロックリング２０はブラケット３０に対して回転不能となり、ロックリング２０が回転不能に取り付けられたローラエンド１０及びこのローラエンド１０が固着された巻取りローラ２は、いずれも回転不能となる。つまり、巻取りローラ２がブラケット３０に固定される。ロックリング２０の爪２２とブラケット３０の係止溝３３は夫々８個であるから、巻取りローラ２を円周上の８箇所の回転角度位置において、つまり、４５度の回転角度毎に固定することができる。
【００１８】
上述したように、ロックリング２０の爪２２の先端部のスクリーン引き上げ回転方向側の側面２３に傾斜面２４を、また、ブラケット３０の係止溝３３の先端部のスクリーン引き下げ回転方向側の側面３４に傾斜面３５を夫々設けたので、爪２２を係止溝３３に嵌合するとき、ロックリング２０の傾斜面２４とブラケット３０の傾斜面３５が滑り合って、ロックリング２０がスクリーン引き下げ方向に回転する。このため、爪２２を係止溝３３に嵌合するとき、目視しにくい箇所に配設された爪２２と係止溝３３とを目で見て合わせなくても、爪２２と係止溝３３とが自動的に嵌合する。さらに、傾斜面２４、３５が滑るときにロックリング２０を、つまり、巻取りローラ２をスクリーン引き下げ方向に回転させるから、クラッチを備えたロールブラインドにおいては、クラッチを順回転させてクラッチの破損を防止することができる。
【００１９】
なお、上述したロールブラインドの回転規制装置において、ローラエンド１０に、回転軸１２ａと嵌合軸部１２ｂとから成る軸部１２を突設したが、これに限定されるものではなく、例えば、円筒状の回転軸を配設し、その外周面に上述した爪２２と同様の爪を設ける一方、ブラケットにこの軸を軸支するための固定の支持軸を設け、この支持軸と同軸に上述した係止溝３３と同様の溝を設けてもよい。また、上述したロールブラインドの回転規制装置においては、ロックリング２０の爪２２の先端部のスクリーン引き上げ回転方向側の側面２３およびブラケット３０の係止溝３３の先端部のスクリーン引き下げ回転方向側の側面３４の双方に傾斜面２４、３５を設けたが、これに限定されるものではなく、いずれか一方にだけ傾斜面を設けてもよい。
【００２０】
【実施例】
以下に、本発明の第１実施例を図１、図６ないし図１０を参照して詳細に説明する。
本発明に係るロールブラインドの回転規制装置を、図１及び図６に示すように、いずれも樹脂製のローラエンド（端末部材）４０とブラケット５０とロックリング（係止部材）６０とから構成する。
【００２１】
図７（ａ）及び（ｂ）に示すように、ローラエンド４０は円筒状に形成され、このローラエンド４０を、図６に示すように、巻取りローラ２に内嵌させて巻取りローラ２の回転端４に固着する。図７（ａ）及び（ｂ）に示すように、小径の回転軸４２ａ及びこの回転軸４２ａと同軸に形成された大径の係合軸部４２ｂから成る軸部４２を、ローラエンド４０に巻取りローラ２と同軸に突設する。係合軸部４２ｂは８角柱状（多角柱状）に形成され、この８角柱状の係合軸部４２ｂの４組の平行な２面により、回転軸４２ａの軸心に対称且つ平行な２つの平面４３、４３が夫々形成される。
【００２２】
図８（ｂ）に示すように、ブラケット５０の側板５０ａに、上述したローラエンド４０の回転軸４２ａを軸支するための軸受け５１を配設する。軸受け５１の図示上下方向（半径方向）に直線的に延長する突出端５５を、図示左右両側に、図８（ａ）に示すように、側板５０ａから軸方向に間隔を置いて夫々突設する。図８（ａ）及び（ｂ）に示すように、この突出端５５とブラケット５０の側板５０ａとから形成される両側の溝５２の底部に、２つの突起５３、５４を上下に距離を置いて突設する。この突起５４が後述するロックリング６０の第１の位置を規定し、突起５３がロックリング６０の第２の位置を規定する。
【００２３】
図９（ａ）及び（ｂ）に示すように、ロックリング６０は短円筒状に形成され、ロックリング６０の一端側の側壁に開口部６０ａを形成する。ロックリング６０の他端側に配設された円形端面６１に、図９（ｂ）に示すように、係合溝６２を形成する。この係合溝６２は、上下方向に平行な２つの内面６３、６３を備える。この２つの内面６３、６３は、上述したローラエンド４０の係合軸部４２ｂの平行な２面４３、４３を外嵌することができる。ロックリング６０の開口部６０ａに、平行な２つの内面６４、６４を上下方向に形成し、係止突起６５を内面６４に夫々突設する。係止突起６５の軸方向の長さは、上述したブラケット５０の溝５２の幅と略同一である。
【００２４】
図９（ａ）及び（ｂ）に示すロックリング６０の係止突起６５を、図８（ａ）に示すブラケット５０の溝５２に嵌合し、図６に示すように、ロックリング６０をブラケット５０に下方から上方に押し上げて取り付ける。詳しくは、まず係止突起６５がブラケット５０の突出端５５に係止する。次に、ロックリング６０が弾性変形して、ロックリング６０の係止突起６５が図８（ａ）及び（ｂ）に示すブラケット５０の２つの突起５４、５３をこの順に乗り越えて、係止突起６５が突起５３の上側に係止する。このとき、ロックリング６０は第２の位置にある。この係止突起６５は、ロックリング６０の取付け後もロックリング６０が弾性変形することにより、ブラケット５０の突起５３を下方に乗り越えて、突起５４の上側に係止することができる。このように、ロックリング６０はブラケット５０に対して、突起５４が規定する第１の位置と突起５３が規定する第２の位置との間において、摺動自在且つ回転不能である。そして、図６に示すように、ローラエンド４０の回転軸４２ａをブラケット５０の軸受け５１に挿入して、巻取りローラ２の回転端４をブラケット５０に軸支する。
【００２５】
次に、本ロールブラインドの回転規制装置の使用方法を、図１０を参照して説明する。
図１０（ａ）の状態において、図９（ａ）及び（ｂ）に示すロックリング６０の係止突起６５が、図８（ａ）及び（ｂ）に示すブラケット５０の突起５３の上側にあり、ロックリング６０は第２の位置にある。このとき、ロックリング６０の円形端面６１の平行な２つの内面６３、６３は、ローラエンド４０の係合軸部４２ｂの平行な２つの平面４３、４３に嵌合していないので、ローラエンド４０はブラケット５０に対して回転可能である。つまり、巻取りローラ２は回転可能である。
【００２６】
次に、図６及び図１０（ｂ）に示すように、ロックリング６０を下方に押し下げて、図９（ａ）及び（ｂ）に示すロックリング６０の係止突起６５をして、図８（ａ）及び（ｂ）に示すブラケット５０の突起５３を下方に乗り越えさせる。これにより、ロックリング６０の係止突起６５が突起５４の上側に係止して、ロックリング６０が第１の位置に移動する。このとき、ロックリング６０の円形端面６１の平行な２つの内面６３、６３が、ローラエンド４０の係合軸部４２ｂの平行な２つの平面４３、４３に嵌合して、ローラエンド４０はブラケット５０に対して回転不能となる。これにより、巻取りローラ２がブラケット５０に固定される。ローラエンド４０の係合軸部４２ｂは８角柱状であるから、巻取りローラ２を円周上の８箇所の回転角度位置において、つまり、４５度の回転角度毎に固定することができる。
【００２７】
なお、上述したロールブラインドの回転規制装置においては、ローラエンド４０に、回転軸４２ａと係合軸部４２ｂとから成る軸部４２を突設したが、これに限定されるものではなく、例えば、円筒状の回転軸を配設して、この軸と同軸の外周面に上述した平面４３、４３と同様の平行な２つの平面を設ける一方、ブラケットにこの軸を軸支するための固定の支持軸を設けてもよい。
【００２８】
次に、上述した実施例の変形を、図１１及び図１２を参照して説明する。
図１１に示すように、ロックリング７０の開口部７１の反対側に、平行な２つの内面７３、７３を備えた係合溝７２を形成する。このロックリング７０を、上述したロックリング６０と同様にして、上述したブラケット５０に下方から上方に嵌合する。このロックリング７０の、上述したロックリング６０の係止突起６５と同様の図示しない係止突起が、上述したブラケット５０の突起５４を乗り越えて、この突起５４の上側に係止する。このとき、ロックリング７０は第２の位置にある。ロックリング７０をさらに押し上げて、図示しない係止突起をして上述したブラケット５０の突起５３を乗り越えさせる。これにより、この係止突起が突起５３の上側に係止して、ロックリング７０は第１の位置に移動する。このとき、ロックリング７０の内面７３、７３が、図１２に示すように、上述したローラエンド４０の係合軸部４２ｂの平面４３、４３に嵌合して、ローラエンド４０はブラケット５０に対して回転不能となる。つまり、巻取りローラ２がブラケット５０に固定される。上記以外については、上述した実施例と同様である。
【００２９】
以下に、本発明の第２実施例を図１、図１３ないし図１８を参照して詳細に説明する。
本発明に係るロールブラインドの回転規制装置を、図１及び図１３に示すように、いずれも樹脂製のローラエンド（端末部材）８０とブラケット９０とロックリング（係止部材）１００とロックピン（回り止め部材）１１０とから構成する。
【００３０】
図１５（ａ）及び（ｂ）に示すように、ローラエンド８０は円筒状に形成される。図１に示すように、このローラエンド８０を巻取りローラ２に内嵌させて、巻取りローラ２の回転端４に固着する。図１５（ａ）及び（ｂ）に示すように、回転軸８１をローラエンド８０に巻取りローラ２と同軸に突設する。ローラエンド８０の回転軸８１側の端面８２に、周方向に延長する嵌入孔８３を回転軸８１と同軸に凹設する。図１５（ｂ）に示すように、嵌入孔８３は軸方向に延長するストッパ８４によって左右に仕切られている。
【００３１】
図１６（ａ）及び（ｂ）に示すように、ブラケット９０の側板９０ａに、上述したローラエンド８０の回転軸８１を軸支するための軸受け９２を配設する。この軸受け９２は、ローラエンド８０の回転軸８１と同軸に配設された円筒状部９１により形成される。円筒状部９１は、その外周面９１ａに軸方向に延長する凹部９３を有する。図１６（ａ）に示すように、この凹部９３の図示左端には、２個の突起９４、９４が凹部９３の両側の側壁９３ａから周方向に夫々突設される。図１６（ｂ）に示すように、２個の係止溝９５、９６を円筒状部９１の外周面９１ａに距離を置いて配設する。後述するように、係止溝９５がロックピン１１０の第１の位置を規定し、係止溝９６がロックピン１１０の第２の位置を規定する。図１６（ａ）に示すように、円筒状部９１の図示右端に、周方向に延長する嵌合溝９７を凹設する。
【００３２】
図１７（ａ）ないし（ｃ）に示すように、ロックリング１００は短円筒状に形成され、突起１０２及び係止突起１０３を内周面１０１から内方に夫々突設する。２個の嵌合爪１０４を図１７（ａ）の図示右端側の内周面１０１から内方に夫々突設する。係止突起１０３及び嵌合爪１０４は夫々軸方向に延びる腕１０３ａ及び腕１０４ａを有し、この腕１０３ａ及び腕１０４ａはともに弾性変形可能である。
【００３３】
図１８（ａ）及び（ｂ）に示すように、ロックピン１１０は、その半径方向断面が上述したブラケット９０の円筒状部９１に形成された凹部９３と略同一形状に形成されて、この凹部９３に嵌合することができ、また、凹部９３の中を軸方向に摺動することができる。上述したローラエンド８０の回転軸８１の軸に対して螺旋方向に延長する溝１１２を、ロックピン１１０の外周面１１１に設ける。ロックピン１１０の図１８（ａ）の図示右端側の周方向端面１１３、１１６には、軸方向に延びる弾性変形可能な腕１１４ａを介して、周方向に突出する突起１１４、１１４が夫々突設される。また、下側の端面１１６の図示左端側には、傾斜面１１５が配設される。
【００３４】
そして、上述したロックリング１００及びロックピン１１０を、次のようにしてブラケット９０の円筒状部９１に取り付ける。図１３（ａ）に示すように、ロックリング１００の突起１０２をロックピン１１０の溝１１２に係合させ、図１３（ｂ）に示すように、ロックピン１１０の外周面１１１をロックリング１００の内周面１０１に沿わせて両者を一体にする。このロックピン１１０及びロックリング１００を一体に、ブラケット９０の円筒状部９１に押し込んで円筒状部９１に外嵌させる。詳しくは、図１３（ａ）及び（ｂ）に示すように、ロックピン１１０をブラケット９０の円筒状部９１に設けた凹部９３に挿入して、ロックピン１１０を凹部９３とロックリング１００との間に介装する。このとき、ロックリング１００を円筒状部９１に押し込むことにより、ロックリング１００の２個の嵌合爪１０４、１０４はその腕１０４ａが弾性変形して、ブラケット９０の円筒状部９１の嵌合溝９７に夫々嵌合する。また、ロックリング１００の係止突起１０３はその腕１０３ａが弾性変形して、ブラケット９０の円筒状部９１の係止溝９６に係止する。また、ロックピン１１０の２個の突起１１４、１１４はその腕１１４ａが弾性変形して、ブラケット９０の円筒状部９１の突起９４を乗り越える。これにより、ロックピン１１０がブラケット９０の円筒状部９１の凹部９３に嵌合する。そして、上述したローラエンド８０の回転軸８１をブラケット９０の円筒状部９１の軸受け９２に挿入して、巻取りローラ２の回転端４をブラケット９０に軸支する。
【００３５】
次に、本ロールブラインドの回転規制装置の使用方法を、図１３及び図１４を参照して説明する。
図１３（ａ）及び（ｂ）において、ロックリング１００の係止突起１０３がブラケット９０の係止溝９６に係止する一方、ロックピン１１０はブラケット９０の側板９０ａに当接して、第２の位置にある。また、ロックピン１１０の溝１１２に係合するロックリング１００の突起１０２は、図１３（ａ）に示すように、溝１１２の図示左端側に位置する。このとき、ロックピン１１０はローラエンド８０の嵌入孔８３に嵌入していないので、ローラエンド８０及びこのローラエンド８０が固着された巻取りローラ２は、ブラケット９０に対して回転可能である。
【００３６】
次に、ロックリング１００を図１３（ｂ）の図示時計方向に回転させる。ロックリング１００の係止突起１０３はその腕１０３ａが弾性変形することにより、ブラケット９０の円筒状部９１の係止溝９６との係止が外れて、図１４（ｂ）に示すように、係止溝９５に係止する。このとき、ロックリング１００の突起１０２は螺旋方向に設けられたロックピン１１０の溝１１２の中を摺動して、図１４（ａ）に示すように、溝１１２の図示右端側にまで移動する。このため、ロックピン１１０はブラケット９０の凹部９３の中を軸方向に摺動し、ローラエンド８０側に押し出されて、第１の位置にまで移動する。つまり、ロックリング１００は突起１０２をロックピン１１０の溝１１２に摺動させて、ロックピン１１０をブラケット９０と共働して第１の位置と第２の位置との間に摺動させる。これにより、ロックピン１１０はローラエンド８０の嵌入孔８３に嵌入する。ここで、引き下げたスクリーン１を上方に緩めるか、あるいは、クラッチを備えた巻取りローラ２においてクラッチが解除されれば、巻取りローラ２に内蔵する巻きばね７がローラエンド８０をスクリーン１の巻き上げ方向僅かに回転して、ロックピン１１０の端面１１６が図１５（ｂ）に示すローラエンド８０のストッパ８４の側面８４ａに当接する。これにより、ローラエンド８０及びこのローラエンド８０が固着された巻取りローラ２はブラケット９０に対して回転不能になり、巻取りローラ２がブラケット９０に固定される。このロールブラインドの回転規制装置において、ローラエンド８０のストッパ８４は１個であるから、巻取りローラ２は円周上の１箇所において固定される。
【００３７】
次に、ロックリング１００を図１４（ｂ）の図示反時計方向に回転させて、再び図１３（ａ）及び（ｂ）に示す状態に戻せば、ロックピン１１０はローラエンド８０の嵌入孔８３から離脱して、ローラエンド８０及びこのローラエンド８０が固着された巻取りローラ２はブラケット９０に対して回転可能になる。ローラエンド８０は巻きばね７により常にスクリーン１の巻き上げ方向に付勢されているが、ロックピン１１０がローラエンド８０の嵌入孔８３から引き抜かれるとき、図１５（ｂ）に示すローラエンド８０のストッパ８４の角部８４ｂが、ロックピン１１０の端面１１６に設けられた傾斜面１１５を僅かずつ滑り、ローラエンド８０は巻きばね７の付勢方向、つまり、巻きばね７の力を逃がす方向に回転する。このため、ロックピン１１０をローラエンド８０の嵌入孔８３から引き抜くときのロックピン１１０とストッパ８４との摩擦抵抗は極めて小さくなり、ロックピン１１０を回すための回転力も僅かで済む。
【００３８】
なお、上述したロールブラインドの回転規制装置においては、ローラエンド８０に回転軸８１を突設したが、これに限定されるものではなく、例えば、ローラエンドに円筒状の回転軸を配設する一方、ブラケットにこの軸を軸支するための固定の支持軸を設けて、この支持軸と同軸に上述した円筒状部９１と同様の外周形状を有する円柱状部を設けてもよい。また、このロールブラインドの回転規制装置においては、ローラエンド８０にストッパ８４を１個だけ配設したが、これに限定されるものではなく、ストッパを複数設けて、その数に相当する円周上の回転角度位置において巻取りローラをブラケットに固定可能してもよい。
【００３９】
【発明の効果】
以上詳細に説明したように、本発明のロールブラインドの回転規制装置は、ブラケットに回転自在に軸支された回転端を有するスクリーン巻取用の巻取りローラと、この巻取りローラに配設されてスクリーン巻き上げの主又は補助動力として用いられる巻きばねとを備え、回転端に固着されると共に回転軸を有してブラケットに回転自在に軸支される端末部材と、この端末部材をブラケットに選択的に係止させる係止手段とを備える。つまり、本発明のロールブラインドの回転規制装置は、巻取りローラの回転端に配設されるから、クラッチ、遊星歯車機構などを巻取りローラの固定端に配設するような場合にも、固定端の構造を簡素化することができ、ロールブラインド全体の設計上の自由度を極めて大きくすることができるという優れた効果を奏する。
【００４０】
この係止手段は、巻取りローラを円周上の複数箇所の回転角度位置において、係止手段によっては、例えば４５度以下の回転角度毎に回転不能にすることができる。これにより、例えば、巻取りローラをブラケットから取り外さずにスクリーンを最下点まで引き下げて、その状態でスクリーンを巻取りローラから外してスクリーンの交換を行なうロールブラインドにおいても、巻取りローラを作業上最もやりやすい回転角度位置に固定して、その交換作業を行なうことができる。
【００４１】
さらに、係止手段によっては、巻取りローラをスクリーン引き下げ方向に回転させて端末部材をブラケットに係止することが可能であるから、クラッチを備えたロールブラインドにおいては、クラッチを順回転させてクラッチの破損を防止することができる。
【図面の簡単な説明】
【図１】本発明に係るロールブラインドの回転規制装置を実施したロールブラインドを示す正面図である。
【図２】図１のローラエンドの詳細を示す図であり、（ａ）は断面図、（ｂ）は右側面図である。
【図３】図１のロックリングの詳細を示す図であり、（ａ）は断面図、（ｂ）は右側面図である。
【図４】図１のブラケットの詳細を示す図であり、（ａ）は断面図、（ｂ）は左側面図である。
【図５】本発明に係るロールブラインドの回転規制装置の実施の形態を示す断面図であり、（ａ）は、巻取りローラが回転可能な状態を示し、（ｂ）は、巻取りローラが回転不能な状態を示す。
【図６】本発明に係るロールブラインドの回転規制装置の第１実施例を示す断面図であり、巻取りローラが回転不能な状態を示す。
【図７】図６のローラエンドの詳細を示す図であり、（ａ）は断面図、（ｂ）は右側面図である。
【図８】図６のブラケットの詳細を示す図であり、（ａ）は正面図、（ｂ）は一部を断面で示す左側面図である。
【図９】図６のロックリングの詳細を示す図であり、（ａ）は断面図、（ｂ）は右側面図である。
【図１０】図９のロックリングと図７のローラエンドの係止状態を示す図であり、（ａ）は、係止が解除されて巻取りローラが回転可能な状態を示し、（ｂ）は、係止して巻取りローラが回転不能な状態を示す。
【図１１】図９のロックリングの変形を示す右側面図である。
【図１２】図１１のロックリングと図７のローラエンドの係止状態を示す図である。
【図１３】本発明に係るロールブラインドの回転規制装置の第２実施例を示す図であり、巻取りローラが回転可能な状態を示し、（ａ）は一部を断面で示す正面図、（ｂ）は左側面図である。
【図１４】図１３のロールブラインドの回転規制装置を示す図であり、巻取りローラが回転不能な状態を示し、（ａ）は一部を断面で示す正面図、（ｂ）は左側面図である。
【図１５】図１３のローラエンドの詳細を示す図であり、（ａ）は断面図、（ｂ）は右側面図である。
【図１６】図１３のブラケットの詳細を示す図であり、（ａ）は正面図、（ｂ）は左側面図である。
【図１７】図１３のロックリングの詳細を示す図であり、（ａ）は断面図、（ｂ）は右側面図、（ｃ）は左側面図である。
【図１８】図１３のロックピンの詳細を示す図であり、（ａ）は正面図、（ｂ）は左側面図である。
【符号の説明】
１  スクリーン、２  巻取りローラ、３  固定端、４  回転端、５  固定軸、６  ブラケット、７  巻きばね、１０  ローラエンド、１２  軸部、１２ａ  回転軸、１２ｂ  嵌合軸部、１３  嵌合溝、１４  内壁、１５  嵌合孔、２０  ロックリング、２１  内周面、２２  爪、２３  側面、２４  傾斜面、２５  嵌合腕、２６  外側面、２７，２８  係止溝、３０  ブラケット、３０ａ  側板、３１  軸受け、３２  外周面、３３  係止溝、３４  側面、３５  傾斜面、４０ローラエンド、４２  軸部、４２ａ  回転軸、４２ｂ  係合軸部、４３  平面、５０  ブラケット、５０ａ  側板、５１  軸受け、５２  溝、５３，５４  突起、５５  突出端、６０  ロックリング、６０ａ  開口部、６１  円形端面、６２係合溝、６３，６４  内面、６５  係止突起、７０  ロックリング、７１  開口部、７２  係合溝、７３  内面、８０  ローラエンド、８１  回転軸、８２端面、８３  嵌入孔、８４  ストッパ、８４ａ  側面、８４ｂ  角部、９０  ブラケット、９０ａ  側板、９１  円筒状部、９１ａ  外周面、９２  軸受け、９３  凹部、９３ａ  側壁、９４  突起、９５，９６  係止溝、９７  嵌合溝、１００  ロックリング、１０１  内周面、１０２  突起、１０３  係止突起、１０３ａ  腕、１０４  嵌合爪、１０４ａ  腕、１１０  ロックピン、１１１  外周面、１１２  溝、１１３  端面、１１４  突起、１１４ａ  腕、１１５  傾斜面、１１６  端面、Ｃ  天井
【図１】
0003821257.tif 000002
【図２】
0003821257.tif 000003
【図３】
0003821257.tif 000004
【図４】
0003821257.tif 000005
【図５】
0003821257.tif 000006
【図６】
0003821257.tif 000007
【図７】
0003821257.tif 000008
【図８】
0003821257.tif 000009
【図９】
0003821257.tif 000010
【図１０】
0003821257.tif 000011
【図１１】
0003821257.tif 000012
【図１２】
0003821257.tif 000013
【図１３】
0003821257.tif 000014
【図１４】
0003821257.tif 000015
【図１５】
0003821257.tif 000016
【図１６】
0003821257.tif 000017
【図１７】
0003821257.tif 000018
【図１８】
0003821257.tif 000019